(57)【要約】【課題】空気調和機の利便性や快適性を向上する。【解決手段】宅外のネットワークからの遠隔制御を受ける外部入力手段３７と、室内機１の運転時間を積算する運転時間積算タイマ３５と、人感センサの信号から室内に人がいないことを判定する無人判定手段３６とを備える室内制御部３４を有し、リモコン３２による通常運転時には、運転時間積算タイマが所定時間到達後に自動フイルタ清掃装置にてフイルタ清掃を実施し、外部入力手段からの運転時で無人判定手段にて室内に人がいない場合には、運転時間積算タイマの値にかかわらずフイルタ清掃を実施し、外部入力手段からの運転時で無人判定手段にて室内に人が存在する場合には、運転時間積算タイマが所定時間到達後にフイルタ清掃を実施するようにした。【選択図】図３
2019184089.tif 000002
【特許請求の範囲】
【請求項１】
エアフイルタを自動で清掃する自動フイルタ清掃装置と、
室内における人の存在を検知する人感センサと、
リモコンと、このリモコンが発する運転信号を検出する受信部と、を備える空気調和機において、
宅外のネットワークからの遠隔制御で運転信号を受ける外部入力手段と、
室内機の運転時間を積算する運転時間積算タイマと、
前記人感センサの信号から、室内に人がいないことを判定する無人判定手段と、を備える室内制御部を有し、
前記リモコンによる通常運転時には、前記運転時間積算タイマが所定時間到達後に前記自動フイルタ清掃装置にてフイルタ清掃を実施し、
前記外部入力手段からの運転時で、前記無人判定手段にて室内に人がいない場合には、前記運転時間積算タイマの値にかかわらずフイルタ清掃を実施し、
前記外部入力手段からの運転時で、前記無人判定手段にて室内に人が存在する場合には、前記運転時間積算タイマが所定時間到達後にフイルタ清掃を実施することを特徴とする空気調和機。
【請求項２】
前記フィルタ清掃実施後に前記運転時間積算タイマをリセットすることを特徴とする請求項１に記載の空気調和機。
【発明の詳細な説明】
【技術分野】
【０００１】
本発明は、室内機に自動フイルタ清掃装置を備える空気調和機に関するものである。
【背景技術】
【０００２】
従来より、空気調和機内にフィルタ清掃手段を備え、空気調和機が運転されている間の時間を積算しその積算時間が所定時間に達した時点でフィルタ清掃手段を駆動してフィルタ清掃を行う自動フィルタ清掃機能を有することで、エアフィルタのホコリ、汚れが酷くなる前に、フィルタ清掃動作が行われ、フィルタ清掃が長時間行われないということもなく、室内環境の悪化が抑えられるものがあった。（例えば、特許文献１参照）
また、空気調和機の室内機に在室者の人数や存在を検知する人感センサを備え、この人感センサの検知結果に応じて、室内が不在の場合には設定室温を低出力側に設定変更することで無駄な電力の消費を削減して、省エネ運転を行うものが有った。（例えば、特許文献２参照）
また、ＨＥＭＳ（Ｈｏｍｅ  Ｅｎｅｒｇｙ  Ｍａｎａｇｅｍｅｎｔ  Ｓｙｓｔｅｍ）によって屋内の空気調和機や家電製品を、スマートホン等の携帯端末やパソコンでインターネットを経由して外出先から遠隔操作を行うことで、省電力や利便性を向上することが行われている。
【先行技術文献】
【特許文献】
【０００３】
【特許文献１】特許５０６１１７２号公報
【特許文献２】特許３５４９７１０号公報
【発明の概要】
【発明が解決しようとする課題】
【０００４】
ＨＥＭＳやスマートホンの普及により、空気調和機でも更なる利便性や快適性の向上が求められている。
【課題を解決するための手段】
【０００５】
本発明は上記課題を解決するため、エアフイルタを自動で清掃する自動フイルタ清掃装置と、室内における人の存在を検知する人感センサと、リモコンと、このリモコンが発する運転信号を検出する受信部と、を備える空気調和機において、宅外のネットワークからの遠隔制御で運転信号を受ける外部入力手段と、室内機の運転時間を積算する運転時間積算タイマと、前記人感センサの信号から、室内に人がいないことを判定する無人判定手段と、を備える室内制御部を有し、前記リモコンによる通常運転時には、前記運転時間積算タイマが所定時間到達後に前記自動フイルタ清掃装置にてフイルタ清掃を実施し、前記外部入力手段からの運転時で、前記無人判定手段にて室内に人がいない場合には、前記運転時間積算タイマの値にかかわらずフイルタ清掃を実施し、前記外部入力手段からの運転時で、前記無人判定手段にて室内に人が存在する場合には、前記運転時間積算タイマが所定時間到達後にフイルタ清掃を実施するようにした。
【発明の効果】
【０００６】
本発明に係る空気調和機においては、外出先からの遠隔操作で空気調和機の運転操作を行ったときには、室内に人がいないことが多いと考えられるので、運転時間積算タイマの積算値にかかわらずフイルタ清掃を実施してから空調運転を行うことで、人の存在するときにフイルタ清掃が行われることで発生する、騒音や、冷暖房運転の一時停止によって室温が変動して使用者に不快感をあたえることを防止すると共に、利便性を向上する。
また、外出先からの遠隔操作であっても、室内に人が居る場合もありうるので、室内に人が存在する場合には、通常運転におけるフイルタ清掃と同じく、運転時間積算タイマが所定時間到達後にフイルタ清掃を実施することで、使用者に不快感をあたえることを防止すると共に、更に利便性を向上する。
また、フィルタ清掃実施後に運転時間積算タイマをリセットすることで、頻繁にフィルタ清掃が実施されることを防止する。
【図面の簡単な説明】
【０００７】
【図１】本発明の一実施形態の説明図。
【図２】同室内機の断面図。
【図３】同運転開始時のフローチャート図。
【図４】同運転停止時のフローチャート図。
【発明を実施するための形態】
【０００８】
次に、この発明の空気調和機の一実施形態について説明する。
１はセパレート式空気調和機の室内機で、背面板２と後板３と前面カバー４とオープンパネル５で外枠を形成し、前記前面カバー４の前面に位置する前記オープンパネル５上部左右に設けた支軸（図示せず）を支点として前面カバー４の前方へ開閉自在に取付られる。
【０００９】
６は前面カバー４の上面にあり横長格子状の吸込口、７は前面カバー４の下方から底面にあり斜め前方に温度調節された空気を吹き出す横長の吹出口であり、吸込口６から吹出口７の間に空気通路８を形成している。この空気通路８の吸込口７の内側には、吸込空気内に含まれる塵埃を取り除く左右一対のエアフィルタ９を有し、このエアフィルタ９の更に内側（下流側）には、横長のフィンチューブ式の熱交換器１０を有し、その前後方向の中間部を頂部として側面視で逆Ｖ字状に配置されている。
【００１０】
また、前記熱交換器１０の下方には、横長のクロスフローファンから成る送風ファン１１が備えられ、前記吹出口７には、運転時に上下方向の吹出風の風向を調整すると共に停止時には自動的に吹出口７を閉じる上下風向板１２と、左右方向の吹出風の風向を調整する左右風向板１３とが備えられている。
【００１１】
１４は自動フィルタ清掃装置で、室内機１内の後方上部に位置し、前記エアフィルタ９に付着した塵埃を掻き取るブラシ１５と、エアフィルタ９を背面側に移動させるフィルタ駆動部１６とで構成されている。  
【００１２】
前記背面板２には、前記動フィルタ清掃装置１４側から落下してくる塵埃を下方に送るダストシュータ１７（第２空間）の後面１８を有し、この後面１８の中央稍上部には、４つの円柱が立設されたフィルタ案内板１９を固定する固定用円柱（図示せず）が形成されている。
【００１３】
前記フィルタ案内板１９の中央稍上部には前記固定用円柱に対向する固定孔（図示せず）が左右一対備えられ、フィルタ案内板１９を背面板２にネジ止め固定し、フィルタ案内板１９の背面は前記ダストシュータ１７（第２空間）の前面２０を形成しており、この前面２０と後面１８の間をエアフィルタ９から掻き取られた塵埃が落下する。
【００１４】
２１は前記フィルタ案内板１９の上端と平行となるように設置されたクシ歯であり、クシ歯２１の先端がブラシ１５に食い込むことで、エアフィルタ９から掻き取ったブラシ１５に付着した塵埃をブラシ１５から分離してダストシュータ１７側へ落とす。
２２は前記フィルタ案内板１９の左右端にあり後板３方向へ突出する側板であり、フィルタ清掃の時にエアフィルタ９の左右端がスライド可能な案内溝２３を有しており、フイルタ清掃の時には後板３とフィルタ案内板１９の間の空間であるフィルタ経路２４（第１空間）内をフィルタ９が上下方向に摺動する。
【００１５】
前記後板３の前面中央には後部ドレンパン２５を有し、この後部ドレンパン２５上方に前記熱交換器１０の後部が配置されることで、冷房運転時には熱交換器１０後部から発生する結露水を集積排水する。２６はケーシングであり、前方には所定の空間を隔てて前記送風ファン１１を備えている。送風ファン１１は横長円柱状で多数の羽根を有するクロスフロー型のファンで、ケーシング２６の左側面に取り付ける軸受け（図示せず）と、ケーシング２６の右側に取り付けられる送風モータ（図示せず）の回動軸との間で回転する。
【００１６】
２７は前部ドレンパンであり、上方に前記熱交換器１１の前部が配置されることで、冷房運転時には熱交換器１１前部から発生する結露水を集積排水する。また、前部ドレンパン２７の左右端には取付脚（図示せず）が備えられ、この取付脚を後板３に嵌め込むことで後板３に取り付けられる。
【００１７】
２８はダストボックスで、後板３の底面で前記ダストシュータ１７の下部に備える塵埃排出口２９に下方から図示しない把手を掴むことで着脱自在となるように設置する。なお、ダストボックス２８は、１年間のフィルタ清掃で発生した塵埃が溢れ出すことなく溜めることが十分に可能な容量を備えている。
【００１８】
３０はフィルタ溝で、エアフィルタ９の左右端部を保持する。方形状で柔軟性を有する前記エアフィルタ９を前方から差し込み、エアフィルタ９の先端がブラシ１５とフィルタ駆動部１６の位置まで移動させることで、エアフィルタ９が通常運転時の位置にセットされる。
【００１９】
前記エアフィルタ９には、方形状で多数の縦桟と横桟に樹脂製の網が溶着して設けられ、両端の縦桟に前記フィルタ駆動部１６の駆動歯車と噛み合うラック（図示せず）が形成されている。この構成により、フィルタ清掃時にはフィルタ駆動部１６の回転によりフィルタ９がフィルタ駆動部１６とブラシ１５の間を通過してフィルタ案内板１９の方向に送られる。また、フィルタ駆動部１６とブラシ１５の間を通過する際にはエアフィルタ９の表面に付着した塵埃をブラシ１５で掻き取って除去する。そして、ブラシ１５に付着した塵埃はクシ歯２１によってをダストシュータ１７側へ掻き落される。
【００２０】
前記吹出口７の右側には人感センサ３１を有している。この人感センサ３１は人体から放射される赤外線を測定することにより、人の存在を検知する。また、前記人感センサ３１の右側にはリモコン３２が発する運転信号を検出する受信部３３を有している。前記リモコン３２には空気調和機の運転停止や室温設定、タイマー設定などを行う操作スイッチ（図示せず）や、運転や設定状態を表示する液晶表示（図示せず）、前記受信部３３に向けて運転信号を送る送信部（図示せず）を備えている。
【００２１】
前記室内機１内にはプリント基板や電子部品で構成する室内制御部３４を有し、この制御部３４に前記人感センサ３１や受信部３３、送風ファン１１、室外制御部（図示せず）等が接続される。また、前記室内制御部３４には空気調和機の運転時間を積算する運転時間積算タイマ３５と、前記人感センサ３１の信号によって、室内に人がいないことを判定する無人判定手段３６を備えている。
【００２２】
３７は前記室内機１に備え、前記リモコン３２以外で宅外のネットワークからの遠隔制御で運転信号を受付ける外部入力手段で、ルータ３８と有線または無線回線で接続する。３９はインターネット等の通信網で、このインターネット３９を経由して、ＨＥＭＳを運営するメーカーのサーバ４０と接続し、ＨＥＭＳメーカーが運営するシステムに沿って空気調和機の遠隔操作が行われる。４１は前記インターネット３９に接続するスマートホンで、前記ＨＥＭＳメーカーが提供するアプリケーションを使用して空気調和機の運転停止等の遠隔操作を外出先から行うことができる。
【００２３】
自動フイルタ清掃を図3の運転開始時のフローチャートをもとに説明する。空調運転を開始すれば（ｓ１）、ｓ２にて運転指示があるかを確認し、Ｙｅｓでｓ３に進み室内制御部３３はこの運転指示がリモコン３２から送られたものか、或いは、外部入力手段３７（ＨＥＭＳ操作）による運転指示かを判断し、ＹｅｓでＨＥＭＳからの操作であればｓ４に進み、Ｎｏでリモコン３２からの通常運転の操作が行われたときには、ｓ５に進んで空調運転を開始した後、ｓ６に進んで運転時間積算タイマ３５が運転積算時間２４時間（所定時間）を越えているかを判定し、２４時間を越えていればフィルタ清掃が必要であるフラッグを上げ、２４時間以下ならばフィルタ清掃は行わずに運転時間の積算を継続し、ｓ１０に進んで判定を終了する。
【００２４】
ｓ４では無人判定手段３６によって現在室内に人が居るかを判定し、Ｙｅｓで人が存在するときにはｓ５に進んで前記の説明と同じ動作をして終了する。
【００２５】
ｓ４で室内に人が居ないときにはＮｏで、使用者は現在外出中であり、フィルタ清掃によって騒音が発生したり、フィルタ清掃中に空調運転が停止することで室温が変動しても使用者に不快感を与えることがないので、ｓ７に進んでフィルタ清掃を実施したのち、ｓ８で実施記憶フラグを１にして、外部入力手段３７（ＨＥＭＳ操作）による運転指示によって空調運転開始前にフィルタ清掃が実施されることを記憶する。それによって、後述するＨＥＭＳ操作で運転停止が行われたときに連続して頻繁にフィルタ清掃が行われることを防止する。次にｓ９にて空調運転を開始し、ｓ１０に進んで判定を終了する。フィルタ清掃を終了後には運転時間積算タイマ３５がリセットされ、次のフィルタ清掃に備えて運転時間の積算を再開する。
【００２６】
次に、図４の運転停止時のフローチャートで、運転停止時の作動を説明する。空調運転を停止すれば（ｓ１１）、ｓ１２にて停止の指示があるかを確認し、Ｙｅｓでｓ１３に進み室内制御部３３はこの運転停止指示がリモコン３２から送られたものか、或いは、外部入力手段３７（ＨＥＭＳ操作）による停止指示かを判断する。ＹｅｓでＨＥＭＳからの操作であればｓ１４に進み、Ｎｏでリモコン３２からの通常停止の操作が行われたときには、ｓ１５に進んで空調運転を停止した後、ｓ１６に進んで実施記憶フラグを０にして、運転開始時フィルタ清掃が行われた際にｓ８で入力された実施記憶フラグの１をリセットする。次に、ｓ１７に進んで運転時間積算タイマ３５が運転積算時間２４時間（所定時間）を越えているかを判定し、２４時間を越えていればフィルタ清掃が必要であるフラッグを上げ、２４時間以下ならばフィルタ清掃は行わずに運転時間の積算を継続し、ｓ２１に進んで判定を終了する。
【００２７】
ｓ１４では無人判定手段３６によって現在室内に人が居るかを判定し、Ｙｅｓで人が存在するときにはｓ１５に進んで前記の説明と同じ動作をして終了する。
【００２８】
ｓ１４で室内に人が居ないときには、Ｎｏでｓ１８に進んで空調運転を停止し、ｓ１９に進む。次に、ｓ１９では実施記憶フラグが０かを判断する。運転開始時が外部入力手段３７で行われていることでフィルタ清掃が実施されていて、ｓ８にて実施記憶フラグが１になっているときには、無駄なフィルタ清掃が行われることを防止するために、Ｎｏでｓ２１に進んで判定を終了する。それによって、ＨＥＭＳ操作で運転開始と運転停止が行われたときに連続して頻繁にフィルタ清掃が行われることを防止する。また、ｓ１９で運転開始がリモコン３２で行われているときには、実施記憶フラグは０なのでｓ２０にてフィルタ清掃が実施されることで、使用者は現在外出中であり、フィルタ清掃によって騒音が発生したり、フィルタ清掃中に空調運転が停止することで室温が変動しても使用者に不快感を与えることがない。そして、ｓ２１に進んで判定を終了する。フィルタ清掃を終了後には運転時間積算タイマ３５がリセットされ、次のフィルタ清掃に備えて運転時間の積算を再開する。
【００２９】
このように、本件発明によれば、外出先からの遠隔操作で空気調和機の運転操作を行ったときには、室内に人のがいないことが多いと考えられるので、運転時間積算タイマ３５の積算値にかかわらずフイルタ清掃を実施してから空調運転を行うことで、人の存在するときにフイルタ清掃が行われることで発生する、騒音や、冷暖房運転の一時停止によって室温が変動して使用者に不快感をあたえることを防止すると共に、利便性を向上する。
また、外出先からの遠隔操作であっても、室内に人が居る場合もありうるので、室内に人が存在する場合には、通常運転におけるフイルタ清掃と同じく、運転時間積算タイマ３５が所定時間到達後にフイルタ清掃を実施することで、使用者に不快感をあたえることを防止すると共に、更に利便性を向上する。
また、フィルタ清掃実施後に運転時間積算タイマ３５をリセットすることで、頻繁にフィルタ清掃が実施されることを防止する。
【００３０】
なお、本発明は上記一実施形態に限定されるものではなく、インターネット３９を介したＨＥＭＳに換えて一般の電話回線を介したＨＡ（Ｈｏｍｅ  Ａｕｔｏｍａｔｉｎ）としても良く、また、スマートホン４１に換えてパソコン等の通信端末を使用しても良く、使用者の生活様式や特性に応じて自由に変化できるものであり、発明の要旨を変更しない範囲で改変可能なものである。
【符号の説明】
【００３１】
１  室内機
９  エアフィルタ
１４  自動フィルタ清掃装置
３１  人感センサ
３２  リモコン
３３  受信部
３４  室内制御部
３５  運転時間積算タイマ
３６  無人判定手段
３７  外部入力手段
４０  サーバ
【図１】
2019184089.tif 000003
【図２】
2019184089.tif 000004
【図３】
2019184089.tif 000005
【図４】
2019184089.tif 000006